(57)【要約】【課題】視聴者が一般のＤＬＮＡ準拠のＤＭＰやＵＰｎＰ準拠のコントロールポイントからコンテンツを購入した後、確実にコンテンツの本編を視聴することが可能な、新規かつ改良された技術を提供する。【解決手段】コンテンツを識別する識別情報を端末装置２０に送信し、識別情報で識別されるコンテンツを購入する旨を示すコンテンツ購入要求を、端末装置２０から受信すると、サービスサーバ４０が保持する購入フラグに視聴者がコンテンツを購入したことを示す値を設定する旨を要求する購入フラグ設定要求を、サービスサーバ４０に送信し、コンテンツを視聴する旨を示すコンテンツ視聴要求を、端末装置２０から受信すると、コンテンツ視聴要求を、サービスサーバ４０に送信し、コンテンツの本編の再生データを、サービスサーバ４０から受信すると、再生データを、端末装置２０に送信する。【選択図】図２
2010061305.tif 000002
【特許請求の範囲】
【請求項１】
端末装置と通信を行う第１通信部と、
コンテンツの本編を保持するとともに、視聴者が当該コンテンツを購入していないことを示す値または購入したことを示す値が設定される購入フラグを保持し、当該視聴者が当該コンテンツを視聴する旨を示すコンテンツ視聴要求を受信すると、当該購入フラグに前記視聴者がコンテンツを購入したことを示す値が設定されている場合には、当該コンテンツの本編の再生データを送信するサービスサーバと通信を行う第２通信部と、
前記コンテンツを識別する識別情報を端末装置に送信し、当該識別情報で識別されるコンテンツを購入する旨を示すコンテンツ購入要求を、当該端末装置から前記第１通信部を介して受信すると、前記サービスサーバが保持する購入フラグに前記視聴者がコンテンツを購入したことを示す値を設定する旨を要求する購入フラグ設定要求を、前記第２通信部を介して前記サービスサーバに送信し、前記コンテンツを視聴する旨を示すコンテンツ視聴要求を、前記端末装置から前記第１通信部を介して受信すると、当該コンテンツ視聴要求を、前記第２通信部を介して前記サービスサーバに送信し、当該コンテンツの本編の再生データを、前記第２通信部を介して前記サービスサーバから受信すると、当該再生データを、前記第１通信部を介して前記端末装置に送信する制御部と、
を備える、情報処理装置。
【請求項２】
視聴者がコンテンツを購入していないことを示す値または購入したことを示す値が設定される第１購入フラグを記憶する記憶部と、
端末装置と通信を行う第１通信部と、
コンテンツの予告編および当該コンテンツの本編を保持するとともに、視聴者が当該コンテンツを購入していないことを示す値または購入したことを示す値が設定される第２購入フラグを保持し、当該視聴者が当該コンテンツを視聴する旨を示すコンテンツ視聴要求を受信すると、当該第２購入フラグに前記視聴者がコンテンツを購入していないことを示す値が設定されている場合には、当該コンテンツの予告編の再生データを送信し、当該購入フラグに前記視聴者がコンテンツを購入したことを示す値が設定されている場合には、当該コンテンツの本編の再生データを送信するサービスサーバと通信を行う第２通信部と、
前記第１購入フラグに前記視聴者がコンテンツを購入していないことを示す値が設定されている場合には、当該コンテンツの予告編を識別する第１識別情報を端末装置に送信し、前記第１購入フラグに前記視聴者がコンテンツを購入したことを示す値が設定されている場合には、当該コンテンツの本編を識別する第２識別情報を端末装置に送信し、当該コンテンツを購入する旨を示すコンテンツ購入要求を、当該端末装置から前記第１通信部を介して受信すると、前記第１購入フラグに前記視聴者がコンテンツを購入したことを示す値を設定するとともに、前記サービスサーバが保持する購入フラグに前記視聴者がコンテンツを購入したことを示す値を設定する旨を要求する購入フラグ設定要求を、前記第２通信部を介して前記サービスサーバに送信し、前記コンテンツを視聴する旨を示すコンテンツ視聴要求を、前記端末装置から前記第１通信部を介して受信すると、当該コンテンツ視聴要求を、前記第２通信部を介して前記サービスサーバに送信し、当該コンテンツの予告編の再生データを、前記第２通信部を介して前記サービスサーバから受信すると、当該再生データを、前記第１通信部を介して前記端末装置に送信し、当該コンテンツの本編の再生データを、前記第２通信部を介して前記サービスサーバから受信すると、当該再生データを、前記第１通信部を介して前記端末装置に送信する制御部と、
を備える、情報処理装置。
【請求項３】
視聴者がコンテンツを購入していないことを示す値または購入したことを示す値が設定される購入フラグを記憶する記憶部と、
端末装置と通信を行う第１通信部と、
コンテンツの予告編および当該コンテンツの本編を保持するとともに、当該視聴者が当該コンテンツの予告編を視聴する旨を示すコンテンツ視聴要求を受信すると、当該コンテンツの予告編の再生データを送信し、当該視聴者が当該コンテンツの本編を視聴する旨を示すコンテンツ視聴要求を受信すると、当該コンテンツの本編の再生データを送信するサービスサーバと通信を行う第２通信部と、
前記コンテンツを識別する識別情報を端末装置に送信し、当該識別情報で識別されるコンテンツを購入する旨を示すコンテンツ購入要求を、当該端末装置から前記第１通信部を介して受信すると、前記購入フラグに前記視聴者がコンテンツを購入したことを示す値を設定し、前記コンテンツを視聴する旨を示すコンテンツ視聴要求を、前記端末装置から前記第１通信部を介して受信すると、前記購入フラグに前記視聴者がコンテンツを購入していないことを示す値が設定されている場合には、当該視聴者が当該コンテンツの予告編を視聴する旨を示すコンテンツ視聴要求を、前記第２通信部を介して前記サービスサーバに送信し、前記購入フラグに前記視聴者がコンテンツを購入したことを示す値が設定されている場合には、当該視聴者が当該コンテンツの本編を視聴する旨を示すコンテンツ視聴要求を、前記第２通信部を介して前記サービスサーバに送信し、当該コンテンツの予告編の再生データを、前記第２通信部を介して前記サービスサーバから受信すると、当該再生データを、前記第１通信部を介して前記端末装置に送信し、当該コンテンツの本編の再生データを、前記第２通信部を介して前記サービスサーバから受信すると、当該再生データを、前記第１通信部を介して前記端末装置に送信する制御部と、
を備える、情報処理装置。
【請求項４】
視聴者がコンテンツを購入していないことを示す値または購入したことを示す値が設定される購入フラグを記憶する記憶部と、
端末装置と通信を行う第１通信部と、
コンテンツの予告編および当該コンテンツの本編を保持するとともに、当該視聴者が当該コンテンツの予告編を視聴する旨を示すコンテンツ視聴要求を受信すると、当該コンテンツの予告編の再生データを送信し、当該視聴者が当該コンテンツの本編を視聴する旨を示すコンテンツ視聴要求を受信すると、当該コンテンツの本編の再生データを送信するサービスサーバと通信を行う第２通信部と、
前記第１購入フラグに前記視聴者がコンテンツを購入していないことを示す値が設定されている場合には、当該コンテンツの予告編を識別する第１識別情報を端末装置に送信し、前記第１購入フラグに前記視聴者がコンテンツを購入したことを示す値が設定されている場合には、当該コンテンツの予告編を識別する第１識別情報または当該コンテンツの本編を識別する第２識別情報を端末装置に送信し、前記第１購入フラグに前記視聴者がコンテンツを購入したことを示す値が設定されている場合には、前記端末装置から前記第１通信部を介して当該コンテンツの予告編に切り替える旨の予告編切り替え要求を受信すると、当該コンテンツの予告編を識別する第１識別情報を端末装置に送信し、前記端末装置から前記第１通信部を介して当該コンテンツの本編に切り替える旨の本編切り替え要求を受信すると、当該コンテンツの本編を識別する第２識別情報を端末装置に送信し、当該コンテンツを購入する旨を示すコンテンツ購入要求を、当該端末装置から前記第１通信部を介して受信すると、前記購入フラグに前記視聴者がコンテンツを購入したことを示す値を設定し、前記コンテンツを視聴する旨を示すコンテンツ視聴要求を、前記端末装置から前記第１通信部を介して受信すると、前記購入フラグに前記視聴者がコンテンツを購入していないことを示す値が設定されている場合には、当該視聴者が当該コンテンツの予告編を視聴する旨を示すコンテンツ視聴要求を、前記第２通信部を介して前記サービスサーバに送信し、前記購入フラグに前記視聴者がコンテンツを購入したことを示す値が設定されている場合には、当該視聴者が当該コンテンツの本編を視聴する旨を示すコンテンツ視聴要求を、前記第２通信部を介して前記サービスサーバに送信し、当該コンテンツの予告編の再生データを、前記第２通信部を介して前記サービスサーバから受信すると、当該再生データを、前記第１通信部を介して前記端末装置に送信し、当該コンテンツの本編の再生データを、前記第２通信部を介して前記サービスサーバから受信すると、当該再生データを、前記第１通信部を介して前記端末装置に送信する制御部と、
を備える、情報処理装置。
【請求項５】
端末装置と通信を行う第１通信部と、コンテンツの本編を保持するとともに、視聴者が当該コンテンツを購入していないことを示す値または購入したことを示す値が設定される購入フラグを保持し、当該視聴者が当該コンテンツを視聴する旨を示すコンテンツ視聴要求を受信すると、当該購入フラグに前記視聴者がコンテンツを購入したことを示す値が設定されている場合には、当該コンテンツの本編の再生データを送信するサービスサーバと通信を行う第２通信部と、制御部とを備える情報処理装置の当該制御部が、
前記コンテンツを識別する識別情報を端末装置に送信するステップと、
当該識別情報で識別されるコンテンツを購入する旨を示すコンテンツ購入要求を、当該端末装置から前記第１通信部を介して受信すると、前記サービスサーバが保持する購入フラグに前記視聴者がコンテンツを購入したことを示す値を設定する旨を要求する購入フラグ設定要求を、前記第２通信部を介して前記サービスサーバに送信するステップと、
前記コンテンツを視聴する旨を示すコンテンツ視聴要求を、前記端末装置から前記第１通信部を介して受信すると、当該コンテンツ視聴要求を、前記第２通信部を介して前記サービスサーバに送信するステップと、
当該コンテンツの本編の再生データを、前記第２通信部を介して前記サービスサーバから受信すると、当該再生データを、前記第１通信部を介して前記端末装置に送信するステップと、
を含んで実行する、情報処理方法。
【請求項６】
情報処理装置と通信を行う通信部と、
コンテンツの本編を記憶するとともに、視聴者が当該コンテンツを購入していないことを示す値または購入したことを示す値が設定される購入フラグを記憶する記憶部と、
当該視聴者が当該コンテンツを視聴する旨を示すコンテンツ視聴要求を、前記通信部を介して受信すると、前記購入フラグに前記視聴者がコンテンツを購入したことを示す値が設定されている場合には、当該コンテンツの本編の再生データを、前記通信部を介して送信する制御部と、
を備える、サービスサーバと、
端末装置と通信を行う第１通信部と、
前記サービスサーバと通信を行う第２通信部と、
前記コンテンツを識別する識別情報を端末装置に送信し、当該識別情報で識別されるコンテンツを購入する旨を示すコンテンツ購入要求を、当該端末装置から前記第１通信部を介して受信すると、前記サービスサーバが保持する購入フラグに前記視聴者がコンテンツを購入したことを示す値を設定する旨を要求する購入フラグ設定要求を、前記第２通信部を介して前記サービスサーバに送信し、前記コンテンツを視聴する旨を示すコンテンツ視聴要求を、前記端末装置から前記第１通信部を介して受信すると、当該コンテンツ視聴要求を、前記第２通信部を介して前記サービスサーバに送信し、当該コンテンツの本編の再生データを、前記第２通信部を介して前記サービスサーバから受信すると、当該再生データを、前記第１通信部を介して前記端末装置に送信する制御部と、
を備える、情報処理装置と、
を有する、通信システム。
【発明の詳細な説明】
【技術分野】
【０００１】
本発明は、情報処理装置、情報処理方法および通信システムに関する。
【背景技術】
【０００２】
コンテンツを配信するサービスには様々なものがある（例えば、特許文献１または特許文献２参照）。
【０００３】
【特許文献１】特開２００７−２６５４２８号公報
【特許文献２】特開２００７−４１９１７号公報
【発明の開示】
【発明が解決しようとする課題】
【０００４】
一般のＤＬＮＡ準拠のＤＭＰやＵＰｎＰ準拠のコントロールポイントは、メディアサーバが複数のｒｅｓを出力したとしても、それらを正しく識別して表示できる保証はないという問題があった。例えば、メディアサーバが予告編と本編を１つのＣＤＳオブジェクト内で複数のｒｅｓとして出力した場合、コントロールポイントがそれぞれの意味を正しく識別する方法はＤＬＮＡでもＵＰｎＰでも規定されていない。もちろん専用のプロパティやアトリビュートを付加することで判断することは可能だが、この知識を持った特定の機器に適用範囲が限定されてしまうという問題があった。
【０００５】
本発明は、上記問題に鑑みてなされたものであり、本発明の目的とするところは、視聴者が一般のＤＬＮＡ準拠のＤＭＰやＵＰｎＰ準拠のコントロールポイントからコンテンツを購入した後、確実にコンテンツの本編を視聴することが可能な、新規かつ改良された技術を提供することにある。
【課題を解決するための手段】
【０００６】
上記目的を達成するために、本発明のある観点によれば、端末装置と通信を行う第１通信部と、コンテンツの本編を保持するとともに、視聴者がコンテンツを購入していないことを示す値または購入したことを示す値が設定される購入フラグを保持し、視聴者がコンテンツを視聴する旨を示すコンテンツ視聴要求を受信すると、購入フラグに視聴者がコンテンツを購入したことを示す値が設定されている場合には、コンテンツの本編の再生データを送信するサービスサーバと通信を行う第２通信部と、コンテンツを識別する識別情報を端末装置に送信し、識別情報で識別されるコンテンツを購入する旨を示すコンテンツ購入要求を、端末装置から第１通信部を介して受信すると、サービスサーバが保持する購入フラグに視聴者がコンテンツを購入したことを示す値を設定する旨を要求する購入フラグ設定要求を、第２通信部を介してサービスサーバに送信し、コンテンツを視聴する旨を示すコンテンツ視聴要求を、端末装置から第１通信部を介して受信すると、コンテンツ視聴要求を、第２通信部を介してサービスサーバに送信し、コンテンツの本編の再生データを、第２通信部を介してサービスサーバから受信すると、再生データを、第１通信部を介して端末装置に送信する制御部と、を備える、情報処理装置が提供される。
【０００７】
また、本発明の別の観点によれば、視聴者がコンテンツを購入していないことを示す値または購入したことを示す値が設定される第１購入フラグを記憶する記憶部と、端末装置と通信を行う第１通信部と、コンテンツの予告編およびコンテンツの本編を保持するとともに、視聴者がコンテンツを購入していないことを示す値または購入したことを示す値が設定される第２購入フラグを保持し、視聴者がコンテンツを視聴する旨を示すコンテンツ視聴要求を受信すると、第２購入フラグに視聴者がコンテンツを購入していないことを示す値が設定されている場合には、コンテンツの予告編の再生データを送信し、購入フラグに視聴者がコンテンツを購入したことを示す値が設定されている場合には、コンテンツの本編の再生データを送信するサービスサーバと通信を行う第２通信部と、第１購入フラグに視聴者がコンテンツを購入していないことを示す値が設定されている場合には、コンテンツの予告編を識別する第１識別情報を端末装置に送信し、第１購入フラグに視聴者がコンテンツを購入したことを示す値が設定されている場合には、コンテンツの本編を識別する第２識別情報を端末装置に送信し、コンテンツを購入する旨を示すコンテンツ購入要求を、端末装置から第１通信部を介して受信すると、第１購入フラグに視聴者がコンテンツを購入したことを示す値を設定するとともに、サービスサーバが保持する購入フラグに視聴者がコンテンツを購入したことを示す値を設定する旨を要求する購入フラグ設定要求を、第２通信部を介してサービスサーバに送信し、コンテンツを視聴する旨を示すコンテンツ視聴要求を、端末装置から第１通信部を介して受信すると、コンテンツ視聴要求を、第２通信部を介してサービスサーバに送信し、コンテンツの予告編の再生データを、第２通信部を介してサービスサーバから受信すると、再生データを、第１通信部を介して端末装置に送信し、コンテンツの本編の再生データを、第２通信部を介してサービスサーバから受信すると、再生データを、第１通信部を介して端末装置に送信する制御部と、を備える、情報処理装置が提供される。
【０００８】
また、本発明の別の観点によれば、視聴者がコンテンツを購入していないことを示す値または購入したことを示す値が設定される購入フラグを記憶する記憶部と、端末装置と通信を行う第１通信部と、コンテンツの予告編およびコンテンツの本編を保持するとともに、視聴者がコンテンツの予告編を視聴する旨を示すコンテンツ視聴要求を受信すると、コンテンツの予告編の再生データを送信し、視聴者がコンテンツの本編を視聴する旨を示すコンテンツ視聴要求を受信すると、コンテンツの本編の再生データを送信するサービスサーバと通信を行う第２通信部と、コンテンツを識別する識別情報を端末装置に送信し、識別情報で識別されるコンテンツを購入する旨を示すコンテンツ購入要求を、端末装置から第１通信部を介して受信すると、購入フラグに視聴者がコンテンツを購入したことを示す値を設定し、コンテンツを視聴する旨を示すコンテンツ視聴要求を、端末装置から第１通信部を介して受信すると、購入フラグに視聴者がコンテンツを購入していないことを示す値が設定されている場合には、視聴者がコンテンツの予告編を視聴する旨を示すコンテンツ視聴要求を、第２通信部を介してサービスサーバに送信し、購入フラグに視聴者がコンテンツを購入したことを示す値が設定されている場合には、視聴者がコンテンツの本編を視聴する旨を示すコンテンツ視聴要求を、第２通信部を介してサービスサーバに送信し、コンテンツの予告編の再生データを、第２通信部を介してサービスサーバから受信すると、再生データを、第１通信部を介して端末装置に送信し、コンテンツの本編の再生データを、第２通信部を介してサービスサーバから受信すると、再生データを、第１通信部を介して端末装置に送信する制御部と、を備える、情報処理装置が提供される。
【０００９】
また、本発明の別の観点によれば、視聴者がコンテンツを購入していないことを示す値または購入したことを示す値が設定される購入フラグを記憶する記憶部と、端末装置と通信を行う第１通信部と、コンテンツの予告編およびコンテンツの本編を保持するとともに、視聴者がコンテンツの予告編を視聴する旨を示すコンテンツ視聴要求を受信すると、コンテンツの予告編の再生データを送信し、視聴者がコンテンツの本編を視聴する旨を示すコンテンツ視聴要求を受信すると、コンテンツの本編の再生データを送信するサービスサーバと通信を行う第２通信部と、第１購入フラグに視聴者がコンテンツを購入していないことを示す値が設定されている場合には、コンテンツの予告編を識別する第１識別情報を端末装置に送信し、第１購入フラグに視聴者がコンテンツを購入したことを示す値が設定されている場合には、コンテンツの予告編を識別する第１識別情報またはコンテンツの本編を識別する第２識別情報を端末装置に送信し、第１購入フラグに視聴者がコンテンツを購入したことを示す値が設定されている場合には、端末装置から第１通信部を介してコンテンツの予告編に切り替える旨の予告編切り替え要求を受信すると、コンテンツの予告編を識別する第１識別情報を端末装置に送信し、端末装置から第１通信部を介してコンテンツの本編に切り替える旨の本編切り替え要求を受信すると、コンテンツの本編を識別する第２識別情報を端末装置に送信し、コンテンツを購入する旨を示すコンテンツ購入要求を、端末装置から第１通信部を介して受信すると、購入フラグに視聴者がコンテンツを購入したことを示す値を設定し、コンテンツを視聴する旨を示すコンテンツ視聴要求を、端末装置から第１通信部を介して受信すると、購入フラグに視聴者がコンテンツを購入していないことを示す値が設定されている場合には、視聴者がコンテンツの予告編を視聴する旨を示すコンテンツ視聴要求を、第２通信部を介してサービスサーバに送信し、購入フラグに視聴者がコンテンツを購入したことを示す値が設定されている場合には、視聴者がコンテンツの本編を視聴する旨を示すコンテンツ視聴要求を、第２通信部を介してサービスサーバに送信し、コンテンツの予告編の再生データを、第２通信部を介してサービスサーバから受信すると、再生データを、第１通信部を介して端末装置に送信し、コンテンツの本編の再生データを、第２通信部を介してサービスサーバから受信すると、再生データを、第１通信部を介して端末装置に送信する制御部と、を備える、情報処理装置が提供される。
【発明の効果】
【００１０】
本発明によれば、視聴者が一般のＤＬＮＡ準拠のＤＭＰやＵＰｎＰ準拠のコントロールポイントからコンテンツを購入した後、確実にコンテンツの本編を視聴することが可能となる。
【発明を実施するための最良の形態】
【００１１】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１２】
以下に、本発明の実施形態について述べる。
【００１３】
図１は、視聴者が利用する端末装置２０（図２参照）がゲートウェイ装置３０（図２参照）から受信する文書データの一例を示した図である。図１に示したように、文書データには、＜ｄｃ：ｔｉｔｌｅ＞タグの内容にコンテンツのタイトルを記述でき、＜ｒｅｓ＞タグの内容にコンテンツのＵＲＬを記述できるようにされている。記述できる＜ｄｃ：ｔｉｔｌｅ＞は１つであるため、＜ｒｅｓ＞が複数存在したとしても、＜ｒｅｓ＞タグの内容に記述されたＵＲＬがコンテンツ本編のものであるのか、コンテンツ予告編のものであるのかを区別することができない。本実施形態では、この問題を解決する。
【００１４】
図２に示すように、一般家屋内に端末装置２０、ゲートウェイ装置３０があり、家屋の外部に、サービス事業者の運営するサービスサーバ４０があるものとする。このようなシステム構成下で、サービス事業者はビデオオンデマンドサービス（ＶＯＤと略す）のような有料のコンテンツ配信サービスを行っていると想定する。通信システム１０は、ゲートウェイ装置３０と、サービスサーバ４０とを含むものとする。
【００１５】
端末装置２０とゲートウェイ装置３０間はＤＬＮＡやＵＰｎＰによるホームネットワーク５０によって、ゲートウェイ装置３０とサービスサーバ４０間はサービス事業者の専用回線である事業者回線（事業者専用回線）６０で接続されている。ホームネットワーク５０および事業者回線６０の物理的手段は問わず、このようなトポロジで構成されていればよい。
【００１６】
端末装置２０およびゲートウェイ装置３０はＤＬＮＡまたはＵＰｎＰに準拠しているものとし、ゲートウェイ装置３０はサービスサーバ４０から配信されるコンテンツを、ホームネットワーク５０に再配信するメディアサーバ機能を有する。
【００１７】
ＶＯＤを使用するユーザは、端末装置２０上に表示されたコンテンツ一覧から視聴したいものを選択する。コンテンツ一覧は、端末装置２０がゲートウェイ装置３０に対し、ＵＰｎＰのＣＤＳ（Ｃｏｎｔｅｎｔ  Ｄｉｒｅｃｔｏｒｙ  Ｓｅｒｖｉｃｅ）の機能を使用して取得した、各コンテンツのメタデータから作られる。コンテンツには、購入前、購入済みの状態がある。サービスサーバ４０とゲートウェイ装置３０はその状態に応じて、メタデータの表現方法を変更し、コンテンツの提供形態を端末装置２０に示す。
【００１８】
例えば、購入前であれば、ゲートウェイ装置３０は予告編のみ視聴できるようにメタデータをセットする。具体的には、コンテンツのＵＲＬを示すためのｒｅｓというプロパティの値に予告編のＵＲＬを、ｐｕｒｃｈａｓｅＦｌａｇ（購入フラグ）という購入状態を示すプロパティに未購入を意味する値をセットする。端末装置２０がこのコンテンツを選択すると、ｒｅｓで示されるＵＲＬに対して、ＨＴＴＰプロトコルのＧＥＴメソッドを発行してコンテンツの取得を行い、予告編を再生する。ユーザはそのコンテンツが気に入れば購入手続きを行う。購入が行われると、その情報はサービスサーバ４０に伝えられ、ゲートウェイ装置３０のメタデータは変更される。例えば、ｒｅｓの値が本編のＵＲＬに変更され、ｐｕｒｃｈａｓｅＦｌａｇ（購入フラグ）は購入済みとなる。このフローを図３に示す。
【００１９】
購入の前後でのメタデータの表現方法には、事業者のサービス形態に応じて、以下の組み合わせが考えられる。
１．購入前
（ア）端末装置２０から予告編を視聴できない。（予告編が存在しないためゲートウェイ装置３０が出力できない。あるいは予告編が存在しても出力しない。）
（イ）端末装置２０から予告編を視聴できる。
２．購入後
（ア）端末装置２０から予告編の視聴ができなくなる。
（イ）端末装置２０から予告編の視聴ができる。
【００２０】
いずれの場合もコンテンツ購入後は、一般のＤＬＮＡやＵＰｎＰからも本編が確実に視聴できることが必要である。これを実現するために以下の対応を行う。
【００２１】
２−（ア）には以下のいずれかで対応する。
１．購入の前後でｒｅｓの値は変えない。端末装置２０がｒｅｓの値であるＵＲＬにアクセスすると、購入の前後でゲートウェイ装置３０が返すコンテンツの本体を、予告編から本編に切り替える。ゲートウェイ装置３０はｒｅｓを１つ示すだけでよいので、端末装置２０側で常に適切なコンテンツが視聴できることが保証される（第１実施形態）。
２．購入の前後でｒｅｓの値を変更する。購入前は予告編を示すＵＲＬに、購入後は本編を示すＵＲＬに、それぞれゲートウェイ装置３０が切り替える。ゲートウェイ装置３０はｒｅｓを１つ示すだけでよいので、端末装置２０側で常に適切なコンテンツが視聴できることが保証される（第２実施形態）。
３．購入の前後でｒｅｓの値は変えない。ゲートウェイ装置３０は購入状態を知っているので、端末装置２０からＨＴＴＰ／ＧＥＴリクエストを受けたら、ＨＴＴＰのリダイレクト機能を使用して、本編を示すＵＲＬを端末装置２０側に通知する。端末装置２０は新しいＵＲＬに対して再度ＨＴＴＰ／ＧＥＴを行うことで、本編が再生できる。ゲートウェイ装置３０はｒｅｓを１つ示すだけでよいので、端末装置２０側で常に適切なコンテンツが視聴できることが保証される（第３実施形態）。
【００２２】
２−（イ）には以下のいずれかでする。
１．購入前はコンテンツの予告編を示すＣＤＳオブジェクトが１つ存在する。購入後は、そのコンテンツに対応したコンテナが作成され、予告編を示すＣＤＳオブジェクト、および本編を示すＣＤＳオブジェクトがそのコンテナ配下に置かれる。ゲートウェイ装置３０は、コンテナ配下のＣＤＳオブジェクトはそれぞれ単一のｒｅｓしか出力しないようにする。このため端末装置２０側で常に適切なコンテンツが視聴できることが保証できる（第４実施形態）。
２．購入前のｒｅｓの値は予告編へのＵＲＬを示す。購入後のｒｅｓの値は本編へのＵＲＬを示すようにする。さらに予告編を示すプロパティまたはアトリビュートを用意し、ここに予告編のＵＲＬの値を出力する。端末装置２０側もこのプロパティまたはアトリビュートの知識が必要となるので一般のＤＬＮＡやＵＰｎＰ準拠の端末装置２０での予告編を視聴はできる保証はないが、ｒｅｓは単一なので、本編の視聴は保証される。
【００２３】
《第１実施形態》
以下に、本発明の第１実施形態について述べる。なお、上記したＵＲＬは、コンテンツを識別する識別情報の一例である。
【００２４】
図４は、ゲートウェイ装置の構成を示す図である。図４を参照して（適宜他の図参照）、ゲートウェイ装置の構成について説明する。
【００２５】
図４に示すように、ゲートウェイ装置３０（情報処置装置）は、第１通信部３１と、第２通信部３２と、制御部３３とを備える。
【００２６】
第１通信部３１は、端末装置２０と通信を行うものである。第１通信部３１は、例えば、通信インタフェース等により構成される。
【００２７】
第２通信部３２は、サービスサーバ４０と通信を行うものである。第２通信部３２は、例えば、通信インタフェース等により構成される。
【００２８】
制御部３３は、コンテンツを識別する識別情報を端末装置２０に送信するものである。制御部３３は、識別情報で識別されるコンテンツを購入する旨を示すコンテンツ購入要求を、端末装置２０から第１通信部３１を介して受信する。受信すると、制御部３３は、サービスサーバ４０が保持する購入フラグに視聴者がコンテンツを購入したことを示す値を設定する旨を要求する購入フラグ設定要求を、第２通信部３２を介してサービスサーバ４０に送信する。その後、制御部３３は、コンテンツを視聴する旨を示すコンテンツ視聴要求を、端末装置２０から第１通信部３１を介して受信すると、そのコンテンツ視聴要求を、第２通信部３２を介してサービスサーバ４０に送信する。その後、制御部３３は、コンテンツの本編の再生データを、第２通信部３２を介してサービスサーバ４０から受信すると、その再生データを、第１通信部３１を介して端末装置２０に送信する。
【００２９】
制御部３３は、例えば、ＣＰＵ（Ｃｅｎｔｒａｌ  Ｐｒｏｃｅｓｓｉｎｇ  Ｕｎｉｔ）等によって構成され、記憶部３４に記憶された情報処理プログラムを実行することによってその機能が実現される。
【００３０】
記憶部３４は、情報を記憶するものであり、例えば、ＲＡＭ（Ｒａｎｄｏｍ  Ａｃｃｅｓｓ  Ｍｅｍｏｒｙ）等によって構成される。
【００３１】
図５は、サービスサーバの構成を示す図である。図５を参照して（適宜他の図参照）、サービスサーバの構成について説明する。
【００３２】
図５に示すように、サービスサーバ４０は、通信部４１と、制御部４２と、記憶部４３とを備える。
【００３３】
通信部４１は、ゲートウェイ装置３０と通信を行うものである。通信部４１は、例えば、通信インタフェース等により構成される。
【００３４】
記憶部４３は、コンテンツの本編を記憶するとともに、視聴者がコンテンツを購入していないことを示す値または購入したことを示す値が設定される購入フラグを記憶するものである。記憶部４３は、例えば、ＲＡＭ等によって構成される。
【００３５】
制御部４２は、視聴者がコンテンツを視聴する旨を示すコンテンツ視聴要求を、通信部４１を介して受信すると、購入フラグに視聴者がコンテンツを購入したことを示す値が設定されている場合には、コンテンツの本編の再生データを、通信部４１を介して送信する。制御部４２は、例えば、ＣＰＵ等によって構成され、記憶部４３に記憶されたサービスサーバプログラムを実行することによってその機能が実現される。
【００３６】
《第２実施形態》
以下に、本発明の第２実施形態について述べる。
【００３７】
記憶部３４は、視聴者がコンテンツを購入していないことを示す値または購入したことを示す値が設定される第１購入フラグを記憶する。
【００３８】
制御部３３は、第１購入フラグに視聴者がコンテンツを購入していないことを示す値が設定されている場合には、コンテンツの予告編を識別する第１識別情報を端末装置２０に送信する。第１購入フラグに視聴者がコンテンツを購入したことを示す値が設定されている場合には、コンテンツの本編を識別する第２識別情報を端末装置２０に送信する。
【００３９】
制御部３３は、コンテンツを購入する旨を示すコンテンツ購入要求を、端末装置２０から第１通信部３１を介して受信すると、第１購入フラグに視聴者がコンテンツを購入したことを示す値を設定する。それとともに、制御部３３は、サービスサーバ４０が保持する購入フラグに視聴者がコンテンツを購入したことを示す値を設定する旨を要求する購入フラグ設定要求を、第２通信部３２を介してサービスサーバ４０に送信する。
【００４０】
制御部３３は、コンテンツを視聴する旨を示すコンテンツ視聴要求を、端末装置２０から第１通信部３１を介して受信すると、コンテンツ視聴要求を、第２通信部３２を介してサービスサーバ４０に送信する。制御部３３は、コンテンツの予告編の再生データを、第２通信部３２を介してサービスサーバ４０から受信すると、再生データを、第１通信部３１を介して端末装置２０に送信する。制御部３３は、コンテンツの本編の再生データを、第２通信部３２を介してサービスサーバ４０から受信すると、再生データを、第１通信部３１を介して端末装置２０に送信する。
【００４１】
記憶部４３は、コンテンツの予告編およびコンテンツの本編を保持するとともに、視聴者がコンテンツを購入していないことを示す値または購入したことを示す値が設定される第２購入フラグを記憶する。
【００４２】
制御部４２は、視聴者がコンテンツを視聴する旨を示すコンテンツ視聴要求を受信すると、第２購入フラグに視聴者がコンテンツを購入していないことを示す値が設定されている場合には、コンテンツの予告編の再生データを送信する。制御部４２は、購入フラグに視聴者がコンテンツを購入したことを示す値が設定されている場合には、コンテンツの本編の再生データを送信する。
【００４３】
《第３実施形態》
以下に、本発明の第３実施形態について述べる。
【００４４】
記憶部３４は、視聴者がコンテンツを購入していないことを示す値または購入したことを示す値が設定される購入フラグを記憶する。
【００４５】
制御部３３は、コンテンツを識別する識別情報を端末装置２０に送信する。制御部３３は、識別情報で識別されるコンテンツを購入する旨を示すコンテンツ購入要求を、端末装置２０から第１通信部３１を介して受信すると、購入フラグに視聴者がコンテンツを購入したことを示す値を設定する。
【００４６】
制御部３３は、コンテンツを視聴する旨を示すコンテンツ視聴要求を、端末装置２０から第１通信部３１を介して受信する。受信すると、購入フラグに視聴者がコンテンツを購入していないことを示す値が設定されている場合には、視聴者がコンテンツの予告編を視聴する旨を示すコンテンツ視聴要求を、第２通信部３２を介してサービスサーバ４０に送信する。購入フラグに視聴者がコンテンツを購入したことを示す値が設定されている場合には、視聴者がコンテンツの本編を視聴する旨を示すコンテンツ視聴要求を、第２通信部３２を介してサービスサーバ４０に送信する。
【００４７】
制御部３３は、コンテンツの予告編の再生データを、第２通信部３２を介してサービスサーバ４０から受信すると、再生データを、第１通信部３１を介して端末装置２０に送信する。制御部３３は、コンテンツの本編の再生データを、第２通信部３２を介してサービスサーバ４０から受信すると、再生データを、第１通信部３１を介して端末装置２０に送信する。
【００４８】
記憶部４３は、コンテンツの予告編およびコンテンツの本編を記憶する。
【００４９】
制御部４２は、視聴者がコンテンツの予告編を視聴する旨を示すコンテンツ視聴要求を受信すると、コンテンツの予告編の再生データを送信する。制御部４２は、視聴者がコンテンツの本編を視聴する旨を示すコンテンツ視聴要求を受信すると、コンテンツの本編の再生データを送信する。
【００５０】
《第４実施形態》
以下に、本発明の第４実施形態について述べる。
【００５１】
記憶部３４は、視聴者がコンテンツを購入していないことを示す値または購入したことを示す値が設定される購入フラグを記憶する。
【００５２】
制御部３３は、第１購入フラグに視聴者がコンテンツを購入していないことを示す値が設定されている場合には、コンテンツの予告編を識別する第１識別情報を端末装置２０に送信する。制御部３３は、第１購入フラグに視聴者がコンテンツを購入したことを示す値が設定されている場合には、コンテンツの予告編を識別する第１識別情報またはコンテンツの本編を識別する第２識別情報を端末装置２０に送信する。
【００５３】
制御部３３は、第１購入フラグに視聴者がコンテンツを購入したことを示す値が設定されている場合には、端末装置２０から第１通信部３１を介してコンテンツの予告編に切り替える旨の予告編切り替え要求を受信する。制御部３３は、受信すると、コンテンツの予告編を識別する第１識別情報を端末装置２０に送信する。制御部３３は、端末装置２０から第１通信部３１を介してコンテンツの本編に切り替える旨の本編切り替え要求を受信すると、コンテンツの本編を識別する第２識別情報を端末装置２０に送信する。
【００５４】
制御部３３は、コンテンツを購入する旨を示すコンテンツ購入要求を、端末装置２０から第１通信部３１を介して受信すると、購入フラグに視聴者がコンテンツを購入したことを示す値を設定する。
【００５５】
制御部３３は、コンテンツを視聴する旨を示すコンテンツ視聴要求を、端末装置２０から第１通信部３１を介して受信すると、購入フラグに視聴者がコンテンツを購入していないことを示す値が設定されている場合には、視聴者がコンテンツの予告編を視聴する旨を示すコンテンツ視聴要求を、第２通信部３２を介してサービスサーバ４０に送信し、購入フラグに視聴者がコンテンツを購入したことを示す値が設定されている場合には、視聴者がコンテンツの本編を視聴する旨を示すコンテンツ視聴要求を、第２通信部３２を介してサービスサーバ４０に送信する。
【００５６】
制御部３３は、コンテンツの予告編の再生データを、第２通信部３２を介してサービスサーバ４０から受信すると、再生データを、第１通信部３１を介して端末装置２０に送信する。制御部３３は、コンテンツの本編の再生データを、第２通信部３２を介してサービスサーバ４０から受信すると、再生データを、第１通信部３１を介して端末装置２０に送信する。
【００５７】
記憶部４３は、コンテンツの予告編およびコンテンツの本編を記憶する。
【００５８】
制御部４２は、視聴者がコンテンツの予告編を視聴する旨を示すコンテンツ視聴要求を受信すると、コンテンツの予告編の再生データを送信する。制御部４２は、視聴者がコンテンツの本編を視聴する旨を示すコンテンツ視聴要求を受信すると、コンテンツの本編の再生データを送信する。
【００５９】
《本実施形態の効果について》
コンテンツの購入後に、一般のＤＬＮＡやＵＰｎＰ準拠の端末でも本編の視聴を保証できる。このためサービス事業者は、本発明の内容に基づいてＧＷさえ適切に実装すれば、一般のＤＬＮＡやＵＰｎＰ準拠の端末でサービスを受けることができる。
【００６０】
《本実施形態の変形例について》
上記では、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６１】
【図１】端末装置が受信する文書データの一例を示す図である。
【図２】通信システムと端末装置との構成を示す図である。
【図３】通信システムと端末装置との動作を示すフローチャートである。
【図４】ゲートウェイ装置の構成を示す図である。
【図５】サービスサーバの構成を示す図である。
【符号の説明】
【００６２】
１０    通信システム
２０    端末装置
３０    ゲートウェイ装置
３１    第１通信部
３２    第２通信部
３３    制御部
３４    記憶部
４０    サービスサーバ
４１    通信部
４２    制御部
４３    記憶部
５０    ホームネットワーク
６０    事業者回線
【図１】
2010061305.tif 000003
【図２】
2010061305.tif 000004
【図３】
2010061305.tif 000005
【図４】
2010061305.tif 000006
【図５】
2010061305.tif 000007